(57)【要約】【課題】濃縮用トラップカラムを不要にし、標的タンパク質の固定化も不要にする。【解決手段】低分子化合物の親和性を評価するための分析方法である。（Ａ）タンパク質結合型低分子化合物及び遊離型低分子化合物を第１の浸透制限型カラムに導入して、遊離型低分子化合物を保持させ、（Ｂ）第１の浸透制限型カラムから排出したタンパク質結合型低分子化合物をタンパク質から切り離して、第２の浸透制限型カラムに導入して保持させ、（Ｃ）第１、第２の浸透制限型カラムに保持された低分子化合物を、互いに異なるタイミングで溶出させて分析カラムで分析する。【選択図】図１
2015206740.tif 000002
【特許請求の範囲】
【請求項１】
タンパク質に対する低分子化合物の親和性を評価するための、以下の工程（Ａ）から（Ｃ）を含む分析方法。
（Ａ）タンパク質に結合したタンパク質結合型低分子化合物及びタンパク質に結合していない遊離型低分子化合物を含む試料溶液を第１の浸透制限型カラムに導入して、遊離型低分子化合物を前記第１の浸透制限型カラムに保持させ、タンパク質結合型低分子化合物を前記第１の浸透制限型カラムから排出させる工程、
（Ｂ）前記工程（Ａ）において前記第１の浸透制限型カラムから排出した溶液中でタンパク質結合型低分子化合物をタンパク質から切り離して遊離化低分子化合物とした状態で、該溶液を第２の浸透制限型カラムに導入して、遊離化低分子化合物を前記第２の浸透制限型カラムに保持させ、タンパク質を前記第２の浸透制限型カラムから排出させる工程、及び
（Ｃ）前記第１の浸透制限型カラムに保持された遊離型低分子化合物と前記第２の浸透制限型カラムに保持された遊離化低分子化合物を、互いに異なるタイミングで溶出させて分析カラムに導いて分析する工程。
【請求項２】
前記工程（Ｂ）において前記第１の浸透制限型カラムから排出した溶液中でタンパク質結合型低分子化合物をタンパク質から切り離すために、前記第１の浸透制限型カラムから排出した溶液にタンパク質に対する低分子化合物の結合を抑制する薬剤を添加する請求項１に記載の分析方法。
【請求項３】
前記薬剤は前記溶液のｐＨを酸性化するｐＨ調整剤又はタンパク質の高次構造を変化させるタンパク質変性剤である請求項２に記載の分析方法。
【請求項４】
第１の浸透制限型カラムと、
第２の浸透制限型カラムと、
分析カラム及びその下流に接続された検出器を含む分析流路と、
前記第１、第２の浸透制限型カラムに遊離の低分子化合物を捕捉させるトラップ移動相を送液する試料導入流路と、
前記試料導入流路に配置された試料注入装置と、
前記第１、第２の浸透制限型カラムに保持された低分子化合物を溶出させる移動相を送液する分析用移動相流路と、
前記試料導入流路を前記第１の浸透制限型カラムを経て前記第２の浸透制限型カラムへ接続する第１の流路、前記分析用移動相流路を前記第１の浸透制限型カラムを経て前記分析流路へ接続する第２の流路、及び前記分析用移動相流路を前記第２の浸透制限型カラムを経て前記分析流路へ接続する第３の流路の間で切り換えるように構成された流路切換え機構と、
前記第１の浸透制限型カラムと前記第２の浸透制限型カラムを接続する流路においてタンパク質結合型低分子化合物をタンパク質から切り離して遊離化低分子化合物とする解離部と、を備えた分析装置。
【請求項５】
前記解離部はタンパク質に対する低分子化合物の結合を抑制する薬剤を供給する薬剤供給流路である請求項４に記載の分析装置。
【請求項６】
前記解離部は前記第１の浸透制限型カラムからの流路と前記薬剤供給流路との合流位置又はその下流にミキサを備えている請求項５に記載の分析装置。
【発明の詳細な説明】
【技術分野】
【０００１】
本発明は、クロマトグラフィーを用いて低分子化合物がタンパク質に対して結合する性質をもっているかどうか、又はその程度はどうかといった、タンパク質に対する親和性を評価するための分析方法と、その分析方法を実施するための分析装置に関する。
【背景技術】
【０００２】
ＬＣ（液体クロマトグラフ）又はＬＣ／ＭＳ（質量分析計）を用いてタンパク質と低分子化合物との相互作用を解析するにあたり、タンパク質に結合した低分子化合物と結合していない低分子化合物を分離して分析する手法がある。ここで分離のための技術として、（１）担体に固定化したターゲットタンパク質そのものを用いて分離する技術と、（２）サイズ排除カラムを用いて分離する技術がある。
【０００３】
（１）の技術の例としては、マグネティックビーズにターゲットタンパク質（ＥＲα−ＬＢＤ）を固定化し、その下流にトラップカラムとしての固相抽出カラム（ＳＰＥ）を配置する。移動相により試料溶液を流してマグネティックビーズに固定化されたタンパク質と接触させる。タンパク質に結合する性質をもつ低分子化合物はタンパク質に結合されて保持され、タンパク質に結合されない性質をもつ低分子化合物は流路から排出され、固相抽出カラムにトラップされる。固相抽出カラムにトラップされた低分子化合物は、分析用移動相により溶出して分析カラムに導入し、ＬＣ−ＭＳ分析を行う。
【０００４】
その後、マグネティックビーズに固定化されたタンパク質に保持された低分子化合物に対し、移動相を酸性にすることにより、その低分子化合物をタンパク質から脱離させ、固相抽出カラムにトラップし、その後ＬＣ−ＭＳ分析を行う（非特許文献１参照。）。
【０００５】
（２）の技術の例としては、サイズ排除カラムを用いて、タンパク質（ヒト血清アルブミン）に結合した低分子化合物と結合していない低分子化合物とを分離させる。サイズ排除カラムではサイズの大きいタンパク質がサイズの小さい遊離の低分子化合物よりも先に溶出するので、タンパク質に結合した低分子化合物をタンパク質とともに先にトラップカラムでトラップさせる。その後、移動相のｐＨを変化させることによりトラップカラム中でタンパク質を脱離させ、低分子化合物のみをトラップカラムに残す。その後、トラップカラムに保持された低分子化合物を分析用移動相により溶出して分析カラムに導入し、ＬＣ−ＭＳ分析を行う。
【０００６】
サイズ排除カラムから遅れて溶出した遊離の低分子化合物もトラップカラムに保持し、その後、分析用移動相により溶出して分析カラムに導入し、遊離の低分子化合物についてもＬＣ−ＭＳ分析を行う（非特許文献２参照。）。
【先行技術文献】
【特許文献】
【０００７】
【特許文献１】米国特許第６９２９７４１号
【特許文献２】特開２００４−２４５６２０号公報
【非特許文献】
【０００８】
【非特許文献１】Analytical Chemistry (2009) 81, 4263-4270
【非特許文献２】Analytical Chemistry (2005) 77, 1345-1353
【発明の概要】
【発明が解決しようとする課題】
【０００９】
従来技術ではタンパク質に結合しない性質の低分子化合物も、結合する性質の低分子化合物も、分析にあたり、分離のための分析カラム又は分析カラムに類似した部分とは別に、濃縮のためにトラップカラムを用いる必要があった。たとえば従来技術（１）ではタンパク質固定化マグネティックビーズに結合しなかった遊離の低分子化合物も、その後にタンパク質から脱離させられた低分子化合物も固相抽出カラムで捕集し濃縮している。また従来技術（２）ではサイズ排除クロマトグラフで保持の強い遊離の低分子化合物も、保持が弱く先にタンパク質とともに溶出しその後タンパク質から脱離させられた低分子化合物もトラップカラムで捕集し濃縮している。
【００１０】
さらに、従来技術（１）では標的となるタンパク質を固定化しなければならず、汎用性に問題がある。また固定化プロセスにおいてタンパク質機能が変化するおそれがあるという問題もある。
【００１１】
本発明は、タンパク質に結合する性質の低分子化合物と結合しない性質の低分子化合物とを互いに分離して分析する際に、濃縮のためのトラップカラムを不要にし、また標的となるタンパク質の固定化も不要にすることを目的とするものである。
【課題を解決するための手段】
【００１２】
本発明は、タンパク質に対する低分子化合物の親和性を評価するための、以下の工程（Ａ）から（Ｃ）を含む分析方法である。
（Ａ）タンパク質に結合したタンパク質結合型低分子化合物及びタンパク質に結合していない遊離型低分子化合物を含む試料溶液を第１の浸透制限型カラムに導入して、遊離型低分子化合物を第１の浸透制限型カラムに保持させ、タンパク質結合型低分子化合物を第１の浸透制限型カラムから排出させる工程、
（Ｂ）工程（Ａ）において第１の浸透制限型カラムから排出した溶液中でタンパク質結合型低分子化合物をタンパク質から切り離して遊離化低分子化合物とした状態で、該溶液を第２の浸透制限型カラムに導入して、遊離化低分子化合物を第２の浸透制限型カラムに保持させ、タンパク質を第２の浸透制限型カラムから排出させる工程、及び
（Ｃ）第１の浸透制限型カラムに保持された遊離型低分子化合物と第２の浸透制限型カラムに保持された遊離化低分子化合物を、互いに異なるタイミングで溶出させて分析カラムに導いて分析する工程。
浸透制限型カラムとは、外表面がタンパク質に対して不活性になる処理が施され孔内面に低分子化合物を捕捉する化学修飾が施された充填材が充填されたカラムであり、第１の浸透制限型カラムと第２の浸透制限型カラムは同じものであってもよく、浸透制限性を持つものであれば互いに異なるものであってもよい。
【００１３】
工程（Ｂ）において第１の浸透制限型カラムから排出した溶液中でタンパク質結合型低分子化合物をタンパク質から切り離すための第１の方法は、第１の浸透制限型カラムから排出した溶液にタンパク質に対する低分子化合物の結合を抑制する薬剤を添加することである。そのような薬剤の例は、溶液を酸性化するｐＨ調整剤、又はタンパク質の高次構造を変化させるタンパク質変性剤である。
【００１４】
この分析方法を実施するための本発明の分析装置は、第１の浸透制限型カラムと、第２の浸透制限型カラムと、分析カラム及びその下流に接続された検出器を含む分析流路と、第１、第２の浸透制限型カラムに遊離の低分子化合物を捕捉させるトラップ移動相を送液する試料導入流路と、試料導入流路に配置された試料注入装置と、第１、第２の浸透制限型カラムに保持された低分子化合物を溶出させる移動相を送液する分析用移動相流路と、流路切換え機構とを備えている。
【００１５】
前記流路切換え機構は、試料導入流路を第１の浸透制限型カラムを経て第２の浸透制限型カラムへ接続する第１の流路、分析用移動相流路を第１の浸透制限型カラムを経て分析流路へ接続する第２の流路、及び分析用移動相流路を第２の浸透制限型カラムを経て分析流路へ接続する第３の流路の間で切り換えるように構成されている。
【００１６】
本発明の分析装置は、さらに、第１の浸透制限型カラムと第２の浸透制限型カラムを接続する流路においてタンパク質結合型低分子化合物をタンパク質から切り離して遊離化低分子化合物とする解離部を備えている。
【００１７】
解離部の第１の例は、タンパク質に対する低分子化合物の結合を抑制する薬剤を供給する薬剤供給流路である。解離部は第１の浸透制限型カラムからの流路と薬剤供給流路との合流位置又はその下流にミキサを備えていてもよい。
【００１８】
解離部の第２の例は、流路の温度を、タンパク質結合型低分子化合物をタンパク質から切り離す温度に加熱する加熱機構である。
【発明の効果】
【００１９】
遊離型低分子化合物を分析するに際し、従来技術では分離部分とは別に捕捉と濃縮のためのトラップカラムを別途配置する必要があったが、本発明においては分離工程が濃縮工程を兼ねているため、トラップカラムを別途配置する必要がなく、そのため、より簡単な流路構造で同様の分析を実施することができるようになり、分析時間の短縮化、キャリーオーバーの抑制などの効果がある。
【００２０】
また、タンパク質結合型低分子化合物と遊離型低分子化合物の比率を求めたり、それぞれの低分子化合物がタンパク質に結合する性質の程度を求めたりすること、すなわちタンパク質に対する親和性の評価を簡便に行うことが可能となる。例えば医薬品開発において、遊離状態の低分子薬物の比率を知ることは、薬物動態の分野において極めて重要な事項であり、その作業の簡素化は、薬物候補化合物の特性評価のスループットの向上に貢献する。
【図面の簡単な説明】
【００２１】
【図１】第１の実施例の液体クロマトグラフを示す流路構成図である。
【図２】浸透制限型カラムにおける挙動を示す概略図である。
【図３】同実施例による分析結果を示すクロマトグラムである。
【発明を実施するための形態】
【００２２】
第１の実施例の液体クロマトグラフを図１に示す。六方バルブからなる第１の流路切換バルブ２が２つの流路構成の間で切り換えることができるように、２つのポート間に第１の浸透制限型カラム４が接続され、他のポートのそれぞれには、試料導入流路６、流路８、及び分析用移動相流路１０、１２が接続されている。流路切換バルブ２の各ポートへの浸透制限型カラム４及び流路の接続は以下のようになされている。すなわち、一方の流路構成（図示の状態）では、浸透制限型カラム４に試料導入流路６と流路８が接続され、分析用移動相流路１０と１２が直接接続される。他方の流路構成では、浸透制限型カラム４に分析用移動相流路１０と１２が接続され、試料導入流路６が流路８に直接接続される。
【００２３】
試料導入流路６には送液ポンプ１４が接続されており、送液ポンプ１４から浸透制限型カラム４及び後述の第２の浸透制限型カラム２２に遊離の低分子化合物を捕捉させるトラップ移動相が供給される。試料導入流路６にはオートサンプラなどからなる試料注入装置１６が配置されている。さらに、試料導入流路６には、送液ポンプ１５により希釈移動相を試料注入装置１６の下流に供給する希釈ライン１７が接続されている。
【００２４】
分析用移動相流路１０には送液ポンプ１８が接続されており、送液ポンプ１８から浸透制限型カラム４、２２に保持された低分子化合物を溶出させる分析用移動相が供給される。
【００２５】
送液装置１４，１８は高圧グラジエント装置であってもよく、低圧グラジエント装置であってもよく、また移動相切換え装置を備えていてもよい。
【００２６】
六方バルブからなる第２の流路切換バルブ２０も２つの流路構成の間で切り換えることができるように、２つのポート間に第２の浸透制限型カラム２２が接続され、他のポートのそれぞれには、流路８、排出用のドレイン流路２６、分析用移動相流路１２及び分析流路２４が接続されている。
【００２７】
分析流路２４には分析カラム２８が接続され、分析カラム２８の下流には検出器３０が接続されている。検出器３０としては、吸光度検出器、示差屈折計、質量分析計などを用いることができる。
【００２８】
流路切換バルブ２０の各ポートへの浸透制限型カラム２２及び流路の接続は以下のようになされている。すなわち、一方の流路構成（図示の状態）では、浸透制限型カラム２２に流路８とドレイン流路２６が接続され、分析用移動相流路１２と分析流路２４が直接接続される。他方の流路構成では、浸透制限型カラム２２に分析用移動相流路１２と分析流路２４が接続され、流路８がドレイン流路２６に直接接続される。
【００２９】
浸透制限型カラム４と浸透制限型カラム２２とは同じものであってもよく、浸透制限性を持つものであれば互いに異なるものであってもよい。
【００３０】
さらに、流路８においてタンパク質結合型低分子化合物をタンパク質から切り離して遊離化低分子化合物とする解離部として、送液ポンプ３２からタンパク質に対する低分子化合物の結合を抑制する薬剤を供給する薬剤供給流路３４が流路８に接続されている。流路８は浸透制限型カラム４と浸透制限型カラム２２が接続されたとき、両カラム４、２２間の流路となる。
【００３１】
低分子化合物の結合を抑制する薬剤の一例は流路８を流れる溶液を酸性化する酸性溶液からなるｐＨ調整剤である。ｐＨ調整剤の一例は、ｐＨ２.０のグリシン・塩酸緩衝液である。低分子化合物の結合を抑制する薬剤の他の例はタンパク質の高次構造を変化させるタンパク質変性剤である。
【００３２】
流路８には、流路８を流れる溶液と薬剤供給流路３４から供給される薬剤との混合を促進するために、流路８と薬剤供給流路３４との合流位置又はその下流にミキサ３３を設けてもよい。
【００３３】
流路切換バルブ２と２０は流路切換え機構を構成しており、３つの流路構成の間で切り換えることができる。第１の流路構成は、試料導入流路６を第１の浸透制限型カラム４を経て第２の浸透制限型カラム２２へ接続し、浸透制限型カラム２２をドレイン流路２６へ接続する流路構成である。第２の流路構成は、分析用移動相流路１０を第１の浸透制限型カラム４を経て、分析用移動相流路１２から分析流路２４へ接続する流路構成である。第３の流路構成は、分析用移動相流路１０を分析用移動相流路１２から第２の浸透制限型カラム２２を経て分析流路２４へ接続する流路構成である。
【００３４】
浸透制限型カラム４，２２に充填されている充填材４０は、概念として図２に示されているものである。充填材４０は、その外表面４２がタンパク質に対して不活性になる処理が施され、孔４４の内面に低分子化合物を捕捉する化学修飾が施されたものである。この充填材４０が充填されたカラムに、タンパク質４６に結合された低分子化合物４８と、タンパク質に結合されずに遊離した状態の遊離型低分子化合物５０が移動相により導入されると、タンパク質４６は充填材４０に保持されないために、タンパク質４６に結合された低分子化合物４８は充填材４０に保持されないでタンパク質４６とともにカラムから排出される。一方、遊離型低分子化合物５０は充填材４０の孔４４内に保持されることにより、このカラム内で濃縮される。
【００３５】
浸透制限型カラム用の充填材の一例は、特許文献１に記載されたものであり、細孔を有するシリカゲル担体の表面にメチルセルロース、エチルセルロース、ヒドロキシプロピルセルロース、ポリビニルピロリドン及びヘキサジメチリンブロマイドより選ばれる親水性高分子物質が結合し、細孔中に炭素鎖が化学的に結合している。炭素鎖はシアノ基、アリル基、アリール基、アミノ基、カルボン酸基、スルフォン酸基若しくは硫酸基で修飾されていてもよい直鎖状又は分岐を有する炭素鎖である。
【００３６】
その充填材は、細孔中に炭素鎖のほかに金属も結合させたものであってもよく、又は炭素鎖に代えて金属を結合させたものであってもよい。その金属はＡｌ、Ｆｅ、Ｚｎ、Ｍｎ、Ｎｉ、Ｍｇ又はＡｇなどである。それらの金属成分は金属イオンとして高濃度に導入されている。高濃度に導入された金属成分とは、５０ｐｐｍ以上に含まれる金属イオンであり、不純物として含まれる金属イオンのことではない。そして、そのような５０ｐｐｍ以上に含まれる金属イオンは、２種類以上であってもよい。
【００３７】
通常、液体クロマトグラフの充填剤に使用されているシリカゲル内の金属不純物濃度は合計で３０ｐｐｍ以下となるように管理されている。本発明においては、担体に対し、金属不純物よりも高濃度に金属を導入する。したがって、５０ｐｐｍ以上の金属濃度は、担体に導入した金属のみならず、担体に予め不純物として含まれる金属をも含むものであってよく、担体に不純物として含まれる金属の種類及び導入した金属の種類の全ての合計である。金属は担体に飽和状態となる濃度で結合しているのが好ましい。飽和状態とは、シリカゲル外表面および細孔内面に保持される金属量が最大限度に達している状態、すなわち担体にこれ以上金属が導入できない状態である。担体に対して金属イオンが過剰になるように添加するだけで、所期の目的を達成させる分離媒体を調製することができる。
【００３８】
浸透制限型カラム用の充填材の他の例は、特許文献２に記載されたものである。そこでは、充填材の外表面をタンパク質に対して不活性になるように、シリカゲルの外表面をタンパク質に対して不活性なポリマーでコーティングしたり、シリカゲルの外表面をアルブミンなどのタンパク質で予めコーティングして新たなタンパク質が結合しないようにしたりしている。充填材の穴内面はオクタデシル基やイオン交換基で化学修飾している。そのような充填材を充填したカラムの具体的なものとしては、シリカゲルの外表面をタンパク質に対して不活性なポリマーでコーティングし穴内面のみをオクタデシル基で化学修飾した充填材を充填したもの（製品として、Ｓｈｉｍ−ｐａｃｋ  ＭＡＹＩ−ＯＤＳ：株式会社島津製作所の製品）がある。
【００３９】
分析対象となる低分子化合物としては、例えば血漿や血清中の薬物を挙げることができる。
【００４０】
次にこの実施例の動作を示す。動作は動作を制御する制御装置（図示略）により自動的に行われる。試料溶液は、タンパク質を含む溶液中に、試料成分として遊離型低分子化合物とタンパク質に結合されたタンパク質結合型低分子化合物を含む溶液である。
【００４１】
図１の状態において、試料注入装置１６から注入された試料溶液は送液装置１４により送られるトラップ用移動相によって浸透制限型カラム４に導かれ、遊離型低分子化合物が浸透制限型カラム４に保持され、タンパク質結合型低分子化合物はタンパク質とともに浸透制限型カラム４から排出される。
【００４２】
浸透制限型カラム４から排出されたタンパク質およびタンパク質結合型低分子化合物は、流路８において送液装置３２によって送液される薬剤と混合し、タンパク質に結合していた低分子化合物はタンパク質から脱離して遊離化低分子化合物となる。その後、浸透制限型カラム２２に導かれ、遊離化低分子化合物が浸透制限型カラム２２に保持される。タンパク質は浸透制限型カラム２２から排出される。
【００４３】
その後、次の（１）と（２）が順次実行される。その順序はいずれが先であってもよい。
【００４４】
（１）流路切換バルブ２０が図１の状態、流路切換バルブ２が切り換えられた状態となり、送液装置１８によって送液される分析用移動相により浸透制限型カラム４に保持されていた低分子化合物が溶出し、分析カラム２８によって成分が分離された後、検出器３０によって各成分が検出される。
【００４５】
（２）流路切換バルブ２が図１の状態、流路切換バルブ２０が切り換えられた状態となり、送液装置１８によって送液される分析用移動相により浸透制限型カラム２２に保持されていた低分子化合物が溶出し、分析カラム２８によって成分が分離された後、検出器３０によって各成分が検出される。
【００４６】
そして、それぞれの分析結果から、遊離型低分子化合物量とタンパク質結合型低分子化合物量とを比較することにより、低分子化合物とタンパク質との結合比率を評価する。
【００４７】
この実施例において、本発明の分析方法は、具体的には次のように実行される。
【００４８】
第１の工程では、タンパク質結合型低分子化合物と遊離型低分子化合物との混合試料を第１の浸透制限型カラム４に供する。タンパク質結合型低分子化合物はタンパク質とともに捕捉されずに排出し、遊離型低分子化合物は浸透制限型カラム４において充填材の孔内面の化学修飾により充填材に捕捉される。この工程により両低分子化合物の分離が行われる。
【００４９】
第２の工程では、浸透制限型カラム４に保持されなかった、タンパク質結合型低分子化合物を結合したタンパク質を含む溶液に、結合を抑制する薬剤、例えばｐＨ調整剤やタンパク質の変性剤など、を添加し、タンパク質と低分子化合物とを切り離し、タンパク質結合型低分子化合物を遊離化低分子化合物に変換する。
【００５０】
第３の工程では、処理された溶液を、もう１つの浸透制限型カラム２２に供する。この工程で遊離化低分子化合物は浸透制限型カラム２２に保持され、タンパク質は保持されずに排出する。
【００５１】
第４の工程では、浸透制限型カラム４，２２に保持した低分子化合物を分析用移動相により溶出させ、分析カラム２８から検出器３０に導いて分析する。このとき、浸透制限型カラム４に保持された遊離型低分子化合物を先に処理してもよく、浸透制限型カラム２２に保持された遊離化低分子化合物を先に処理してもよい。
【００５２】
以下に、図１の実施例の液体クロマトグラフを用いて測定した具体例を図３に示す。
液体クロマトグラフの構成と分析条件は次の通りである。
【００５３】
（１）トラップ条件：
第１の浸透制限型カラム４:
アルミニウム固定化シリカゲル粒子充填カラム（内径４.６ｍｍ、長さ１０ｍｍ、充填材の粒径５０μｍ）。アルミニウム固定化シリカゲル粒子充填カラムは、シリカゲル担体に対してアルミニウムイオンが飽和状態になるように結合した充填材を充填したカラムである。
第２の浸透制限型カラム２２：
ＭＡＹＩ−ＯＤＳ（内径４.６ｍｍ、長さ１０ｍｍ、充填材の粒径５０μｍ、株式会社島津製作所の製品）。
トラップ移動相：５ｍＭ酢酸アンモニウム溶液、流量１ｍＬ／分
希釈移動相：５ｍＭ酢酸アンモニウム‐メタノール（８５：１５）溶液、流量１ｍＬ／分。
試料注入量；１０μＬ
【００５４】
（２）高速液体クロマトグラフィー条件：
分析カラム２８：
ＯＤＳ基修飾シリカゲル充填ＨＰＬＣカラム（内径３.０ｍｍ、長さ７５ｍｍ、充填材の粒径３μｍ）。
カラム温度：３５℃
溶出法：
分析用移動相：２０ｍＭトリフルオロ酢酸を含む水−アセトニトリルを用いるグラジエント溶出
移動相流速：１ｍＬ／分
【００５５】
（３）試料：
（Ａ）タンパク質溶液（ＰＤＥ９（９型ホスホジエステラーゼ））
（Ｂ） 化合物溶液（ＰＤＥ９阻害剤）
（Ｃ）タンパク質‐化合物混合溶液
【００５６】
（４）薬剤供給流路３４から供給する薬剤：
ｐＨ調整剤（ｐＨ２.０のグリシン・塩酸緩衝液）
【００５７】
（５）分析手順：
試料をトラップ移動相により、第１の浸透制限型カラム４から第２の浸透制限型カラム２２に流し、カラム４と２２の間の流路８に薬剤供給流路３４からｐＨ調整剤を供給する。その後、まず、第１の浸透制限型カラム４を分析流路２４へ接続し、分析用移動相により第１の浸透制限型カラム４にトラップされていた成分を検出する。次に、第２の浸透制限型カラム２２を分析流路２４へ接続し、分析用移動相により第２の浸透制限型カラム２２にトラップされていた成分を検出する。
【００５８】
その結果は、図３に示すようになった。縦軸は吸光度検出器による吸光度（ｍＡＵ）である。３つのクロマトグラムは縦軸方向にずらせて、互いに重ならないように表示している。時間軸の約３分と約２０分の位置に出ているピークは流路切換バルブ２、２０を切り換えたことによるノイズである。第１の浸透制限型カラム４にトラップされていた成分があれば約３分から約２０分の間に検出され、第２の浸透制限型カラム２２にトラップされていた成分があれば約２０分よりも後で検出される。
【００５９】
（Ａ）は試料がタンパク質溶液のみの場合であり、浸透制限型カラム４，２２のいずれにもトラップされる成分がないことを示している。
【００６０】
（Ｂ）は試料が化合物溶液の場合であり、試料の化合物は第１の浸透制限型カラム４にのみトラップされ、第２の浸透制限型カラム２２にはトラップされていないことから、この化合物は試料中で遊離している化合物（Unbound Compound）であることがわかる。
【００６１】
（Ｃ）は試料がタンパク質‐化合物混合溶液の場合である。第１の浸透制限型カラム４にはトラップされた成分（Unbound Compound）と、第２の浸透制限型カラム２２にトラップされた成分（Protein-bound Compound）が存在する。このことから、この化合物ＰＤＥ９阻害剤は、ＰＤＥ９と共存すると、一部がＰＤＥ９と結合し、残部はＰＤＥ９に結合しない遊離型で存在することがわかる。
【符号の説明】
【００６２】
２、２０      流路切換バルブ
４、２２      浸透制限型カラム
６      試料導入流路
８      流路
１０、１２      分析用移動相流路
１４、１５、１８、３２      送液ポンプ
１７      希釈ライン
１６      試料注入装置
２４      分析流路
３４      薬剤供給流路
【図１】
2015206740.tif 000003
【図２】
2015206740.tif 000004
【図３】
2015206740.tif 000005